(57)【要約】【課題】  カップ内に入れるミルクやシロップ等を、カップ内のコーヒーや紅茶等に片手でのワンタッチ操作で入れることができる流状物容器を提供する。【解決手段】  流状物を収容可能な収容部と、カップ蓋に差込み可能な差込み部と、差込み部に流出口を開けることのできる孔開け部を備え、収容部と差込み部と孔開け部は一体であり、収容部は片手で持つことのできる形状、大きさであり、指で外から押されると変形可能であり、差込み部は、収容部から外に突出した筒状であり、内部が収容部と連通しており、孔開け部は収容部内に設けられ、収容部が外から押されて変形すると差込み部内を閉塞している閉塞膜に突き刺さって又は閉塞膜を押して、閉塞膜に流出口を開けることができ、流出口は収容部と連通して収容部内の流状物が差込み部からカップ内に流出可能とした。【選択図】図１
2015003745.tif 000002
【特許請求の範囲】
【請求項１】
カップの蓋に差し込んで、カップ内に流状物を供給可能な容器において、
流状物を収容可能な収容部と、カップの蓋に差込み可能な差込み部と、差込み部に流出口を開けることのできる孔開け部を備え、
前記収容部と差込み部と孔開け部は一体であり、
前記収容部は片手で持つことのできる形状又は／及び大きさであり、その片手の指で外から押されると変形可能であり、
前記差込み部は、前記収容部から外に突出した筒状であり、内部が収容部と連通しており、
前記孔開け部は、前記収容部内に設けられ、前記収容部が外から押されて変形すると、前記差込み部内を閉塞している閉塞膜に突き刺さって又は閉塞膜を押して、前記差込み部に流出口を開けることができ、
前記流出口は、前記収容部と連通して、収容部内の流状物が差込み部からカップ内に流出可能である、
ことを特徴とする流状物容器。
【請求項２】
請求項１記載の流状物容器において、
孔開け部は先端部が尖鋭であり、先端部が閉塞膜に対向しており、収容部が押されて変形すると、差込み部側に押し込まれて前記先端部が閉塞膜に突き刺さるか又は閉塞膜を押して、前記差込み部に流出口を開口することができる、
ことを特徴とする流状物容器。
【請求項３】
請求項１又は請求項２記載の流状物容器において、
少なくとも収容部は、指で押すことのできる材質又は／及び形状であり、
孔開け部は、前記収容部の中央部に内向きに突出して形成され、
差込み部の先端は、収容部内の流状物が流出可能な出口であり、
前記出口は閉塞膜で閉塞されている、
ことを特徴とする流状物容器。
【請求項４】
請求項１から請求項３のいずれか１項に記載の流状物容器において、
孔開け部は、収容部の変形により差込み部側に押し込まれると、その先端部が差込み部内まで到達する細長である、
ことを特徴とする流状物容器。
【請求項５】
請求項１から請求項４のいずれか１項に記載の流状物容器において、
収容部の外周面が、文字や図形などの情報を表示可能な又は文字や図形が印刷されたシールを貼付可能な情報表示面である、
ことを特徴とする流状物容器。
【発明の詳細な説明】
【技術分野】
【０００１】
本発明はガムシロップやミルク、ドレッシングといった流状物を収容可能な容器に関し、特に、コーヒー、紅茶等が収容された各種カップの蓋（以下「カップ蓋」という）に差し込んで、カップ内にガムシロップやミルク等を入れることのできる流状物容器に関する。
【背景技術】
【０００２】
従来、ガムシロップやミルク等を入れる容器として、容器本体の上面開口部が蓋で閉塞されたものが知られている。この容器は蓋を剥がす際に内容物が飛散して手や衣服などが汚れるという難点があった。また、片手で容器を持って、他方の手で蓋を開けなければならない（両手を使用する）ため、ドライブスルーなどで購入した飲料（コーヒーや紅茶等）にガムシロップやミルク等を入れるためには、一時停車するか、信号待ちの間に急いで入れなければならず、内容物がこぼれて、衣類や車内等が汚れることがあった。
【０００３】
このような事態を解決するため、ガムシロップやミルク等を入れる容器として、ペットボトルの飲み口に被せる容器（特許文献１）やカップ蓋のストロー差込孔に差込み可能な容器（特許文献２）、片手で持って押潰し可能な容器（特許文献３）等が提案されている。
【先行技術文献】
【特許文献】
【０００４】
【特許文献１】特開２００４−１１５０７５号公報
【特許文献２】特開２００８−５００５６号公報
【特許文献３】特開２００３−１９２０３６号公報
【発明の概要】
【発明が解決しようとする課題】
【０００５】
前記特許文献１の容器は、ファストフード店などで使用されている蓋付きのカップには使用できない。
【０００６】
特許文献２の容器は、ストロー差込孔に差し込む前に容器先端側を折ったり、先端側の蓋を剥がしたりする必要があるため使用が面倒である。
【０００７】
特許文献３記載の容器は、蓋に設けられた突起を折る必要があり、その操作が面倒である。
【０００８】
本発明の解決課題は、カップ内に入れるガムシロップやミルク等の液体又はゼリー状の調味料等（以下、これらをまとめて「流状物」という）を、カップ内のコーヒーや紅茶等に片手でワンタッチ操作して入れることのできる流状物容器を提供することにある。
【課題を解決するための手段】
【０００９】
本発明の流状物容器は、コーヒー、紅茶等が入っているカップ蓋に差し込んで、カップ内に流状物を供給可能な容器であり、流状物を収容可能な収容部と、カップ蓋に差込み可能な差込み部と、差込み部に流出口（例えば、孔）を開けることのできる孔開け部を備え、前記収容部と差込み部と孔開け部は一体であり、収容部は片手で持つことのできる形状又は／及び大きさであり、その片手の指で外から押されると変形可能であり、前記差込み部は、前記収容部から外に突出した筒状であり、内部が収容部と連通しており、孔開け部は前記収容部内に設けられ、前記収容部が外から押されて変形すると、前記差込み部内を閉塞している閉塞膜に突き刺さって又は閉塞膜を押して、前記差込み部に流出口を開けることができ、流出口は前記収容部と連通して収容部内の流状物が差込み部からカップ内に流出可能としたものである。
【００１０】
前記流状物容器は、孔開け部は先端部が尖鋭であり、先端部が閉塞膜に対向しており、収容部が押されて変形すると、差込み部側に押し込まれて前記先端部が閉塞膜に突き刺さるか又は閉塞膜を押して、前記差込み部に流出口を開口することができるようにすることができる。
【００１１】
前記流状物容器は、収容部を指で押すことのできる材質又は／及び形状とし、孔開け部は前記収容部の中央部に内向きに突出させ、差込み部の先端を収容部内の流状物が流出可能な出口とし、その出口を閉塞膜で閉塞しておくことができる。
【００１２】
前記流状物容器は、孔開け部を細長にして、孔開け部が収容部の変形により差込み部側に押し込まれると、孔開け部の先端部が差込み部内まで到達するようにすることができる。
【００１３】
前記流状物容器は、収容部の外周面を、文字や図形などを表示可能な又は文字や図形が印刷されたシールを貼付可能な情報表示面としておくことができる。
【発明の効果】
【００１４】
本発明の流状物容器には、次のような効果がある。
（１）カップ蓋に差し込んで、カップを持った片手で押して、流状物をカップ内に供給できるので、片手でのワンタッチ操作ができ、流状物がカップ外に飛散して、手や衣類、車内等を汚すおそれがない。
（２）カップ蓋に挿し込み可能な筒状の差込み部を備えているので、カップ蓋への差込みが容易である。
（３）情報表示面を設けたので、広告を表示して広告媒体として使用することもできる。
【図面の簡単な説明】
【００１５】
【図１】（ａ）〜（ｃ）は本発明の流状物容器の使用例を示す説明図。
【図２】（ａ）は本発明の流状物容器の一例を示す斜視図、（ｂ）は（ａ）の断面図。
【図３】（ａ）は本発明の流状物容器の作用説明図であって、カップ蓋のストロー差込孔に流状物容器をセットした状態を示すもの、（ｂ）は（ａ）の状態から孔開け部で閉塞膜を破った状態を示すもの。
【図４】（ａ）は本発明の流状物容器の平面図、（ｂ）は底面図、（ｃ）は正面図及び背面図、（ｄ）は右側面図及び左側面図。
【図５】（ａ）は図４の流状物容器の内部構造の平面図、（ｂ）は内部構造の底面図、（ｃ）は内部構造の正面図及び背面図、（ｄ）は内部構造の左右側面図。
【発明を実施するための形態】
【００１６】
（実施形態）
本発明の流状物容器（以下、単に「容器」という。）１の実施形態について、図面を参照して説明する。図１に示す例は、本発明の容器１を、飲料カップＡの開口部に被せるカップ蓋Ｂに形成されているストロー差込孔Ｃに差し込んで、容器１内の内容物（ミルクやガムシロップ等の流状物）を飲料カップＡ内に入れる（供給する）場合の例である。
【００１７】
一例として図２（ａ）（ｂ）に示す容器１は、ガムシロップやミルク等の流状物を収納可能な収容部２と、その収容部２と連通する差込み部３を備えたものである。収容部２は頂部２ａが扁平な半球状（略半球状）であり、その頂部２ａに、内向き（下向き）に突出する先鋭な孔開け部４が設けられている。差込み部３は収容部２内の流状物を容器１の外に送り出すための通路であり、カップ蓋Ｂのストロー差込孔Ｃに差込み可能な細長筒状としてある。差込み部３の先端には流状物が出る出口５が設けられ、その出口５は流状物が漏れ出さないように閉塞膜６で閉塞してある。
【００１８】
前記孔開け部４の先鋭な先端部４ａ（図２（ｂ））は、差込み部３の出口５の閉塞膜６に対向しており、孔開け部４が出口５を閉塞している閉塞膜６側に押し込まれると、先鋭な先端部４ａによって閉塞膜６が突き破られて開口部７が形成されるか、閉塞膜６が剥がれて出口５が開口するようにしてある。これにより、収容部２内の流状物が開口部７や出口５等の流出口から飲料カップＡ内に供給される。閉塞膜６が剥がれるようにする場合は、全部が剥がれると飲料カップＡ内に落下して飲料に混入してしまうため、一部が剥がれるようにしておくのが好ましい。
【００１９】
前記収容部２の底面（差込み部３の根元側）には、カップ蓋Ｂに当接する当接部８が設けられている。当接部８はカップ蓋Ｂの上にセットした容器１が安定しやすい形状であればどのような形状であってもよい。
【００２０】
収容部２の外周面には、文字や図形などの各種情報を表示するとか、文字や図形などが表示されたシールを貼付することのできる情報表示面９（図２（ａ）（ｂ））を設けることもできる。この場合、文字や図形は企業名や企業ロゴ等にして、広告することができる。
【００２１】
前記先端部４ａは差込み部３の内部まで到達する長さとしてあり、先端部４ａが差込み部３の内側（閉塞膜６側）に押し込まれると、先端部４ａが差込み部３の内壁３ａにガイドされて閉塞膜６に到達し、閉塞膜６に突き刺さって開口部７を開けるか、閉塞膜６を押し剥がして出口５が開口するようにしてある。先端部４ａは図示した以外の長さや形状とすることもできる。
【００２２】
前記収容部２は、図１（ｃ）のように、指一本で押し込める程度の可撓性を備えたものとしてある。収容部２は材料によって可撓性をもたせることも、形状（構造）によって可撓性をもたせることもできるが、いずれの場合も、指一本で押し込めるようにする。
【００２３】
この実施形態の容器１は、図３（ａ）のように、飲料カップＡのカップ蓋Ｂに形成されたストロー差込孔Ｃに差し込んで使用される。ストロー差込孔Ｃに差し込んだ容器１の頂部２ａが下向きに押し込まれて、収容部２の底面（当接部８）が図３（ｂ）のようにカップ蓋Ｂに押し付けられても更に押し込まれると、孔開け部４の先端部４ａが差込み部３内に進入し、先端部４ａで閉塞膜６が突き破られて開口部７が開口され、或いは閉塞膜６が剥がれて出口５が開口されるようにしてある。
【００２４】
（その他の実施形態）
前記実施形態では、飲料カップＡのカップ蓋Ｂに形成されたストロー差込孔Ｃに差し込んで使用する場合を一例として説明したが、本発明の容器１はこれ以外の用途にも用いることができる。例えば、サラダ（食品）を入れた食品カップに被せたカップ蓋の挿通孔に差込み部３を差し込んで押し込むと、孔開け部４の先端部４ａで差込み部３の閉塞膜６が破られ或いは剥がれて、ドレッシングが食品カップ内に入るようにすることができる。
【００２５】
一例として図４及び図５に示す容器１は、直径34.20ｍｍ、高さ31.61ｍｍ、差込み部３の円周7.20ｍｍ程度のものであるが、本発明の容器１は、カップＡやカップ蓋Ｂ、ストロー差込孔Ｃ等のサイズに応じて各種サイズにすることができる。
【００２６】
［外観］
図２（ａ）（ｂ）に示す本発明の容器１は、図４（ａ）〜（ｄ）に示すような外観である。図４（ａ）は平面図、図４（ｂ）は底面図、図４（ｃ）は正面図、同４（ｄ）は右側面図である。図４（ａ）の背面図は図４（ｃ）に示す正面図と、図４（ａ）の左側面図は図４（ｄ）に示す右側面図と同一である。
【００２７】
［内部構造］
図２に示す本発明の容器１は、図５（ａ）〜（ｃ）に示すような内部構造である。図５（ａ）は内部構造の平面図、図５（ｂ）は内部構造の底面図、図５（ｃ）は内部構造の正面図、図５（ｄ）は内部構造の右側面図である。内部構造の背面図は図５（ｃ）に示す正面図と、内部構造の左側面図は図５（ｄ）に示す右側面図と同一である。
【産業上の利用可能性】
【００２８】
前述のとおり、本発明の容器１は、ガムシロップやミルク、ドレッシング等の流状物容器として広く利用することができるものであり、カップ蓋Ｂに設けられたストロー差込孔Ｃに差し込んで利用するのに特に適したものである。また、本発明の容器１は、ケチャップやマスタードなど粘性の高い流状物の容器としても使用することができる。この場合、当接部８を指掛け部として利用することができる。当接部８に人差し指と中指を、頂部２ａに親指を宛がい、この状態で頂部２ａを収容部内に押し込むと、孔開け部４の先端部４ａが閉塞膜６を突き破り或いは剥がしてケチャップやマスタードなどが容器１の外に押し出される。
【符号の説明】
【００２９】
１    流状物容器（容器）
２    収容部
２ａ  頂部
３    差込み部
３ａ  （差込み部の）内壁
４    孔開け部
４ａ  先端部
５    出口
６    閉塞膜
７    開口部
８    当接部
９    情報表示面
Ａ    カップ（飲料カップ）
Ｂ    カップ蓋
Ｃ    差込孔（ストロー差込孔）
【図１】
2015003745.tif 000003
【図２】
2015003745.tif 000004
【図３】
2015003745.tif 000005
【図４】
2015003745.tif 000006
【図５】
2015003745.tif 000007